(57)【要約】【課題】プラットホームに対して工事が最小限で済むと共に、電源の確保も不要で昼間でも十分な視認性を確保することができるプラットホーム端部の注意喚起方法を提供する。【解決手段】プラットホームの端部における少なくとも停車した鉄道車両の乗降口に対応する位置に人が本質的に注意を向けるような注意喚起図柄を表示した。【選択図】図１
2017144866.tif 000002
【特許請求の範囲】
【請求項１】
プラットホームの端部における少なくとも停車した鉄道車両の乗降口に対応する位置に人が本質的に注意を向けるような注意喚起図柄を表示したことを特徴とするプラットホーム端部の注意喚起方法。
【請求項２】
請求項１に記載のプラットホーム端部の注意喚起方法において、
前記注意喚起図柄は、バラスト模様または、線路周辺を模した模様であることを特徴とするプラットホーム端部の注意喚起方法。
【請求項３】
請求項１に記載のプラットホーム端部の注意喚起方法において、
前記注意喚起図柄は、特定の方向から見ると突起又は危険物であり、その他の方向から見ると別の意味を持つ模様であることを特徴とするプラットホーム端部の注意喚起方法。
【請求項４】
請求項１に記載のプラットホーム端部の注意喚起方法において、
前記注意喚起図柄は、汚れ又は湿潤を連想させる模様であることを特徴とするプラットホーム端部の注意喚起方法。
【請求項５】
請求項１に記載のプラットホーム端部の注意喚起方法において、
前記注意喚起図柄は、動物の足跡又は小動物を模した模様であることを特徴とするプラットホーム端部の注意喚起方法。
【発明の詳細な説明】
【技術分野】
【０００１】
本発明は、プラットホームの乗客がプラットホーム端部から転落することを防止するため、プラットホーム端部の位置を認識しやすくするプラットホーム端部の注意喚起方法に関するものである。
【背景技術】
【０００２】
従来より、プラットホームから乗客が転落することを防止するため、プラットホームを安全に誘導することができる表示装置が知られている。このような乗客の転落は、プラットホーム端部を良く見ないことによって、乗客がプラットホーム端部を認識せずに乗降・歩行することが原因となっている場合が多い。
【０００３】
このような表示装置は種々の形態が知られているが、例えば特許文献１に記載されているように、外形を細長い板状とし、その表側の面の略全面を発光面とした誘導用表示器が知られている。
【０００４】
このような誘導用表示器によれば、設置面積と発光面の面積とがほぼ等しくなり、必要な発光面積を最小限の設置面積で確保することができ、プラットホームに埋め込む場合であっても、ホームを掘り起こす面積が減り、工事の負担を軽減することができると共に、設置面積のほぼ全面が長方形の発光面となるので、散点的に発光する表示器に比べて高い視認性を確保することができる。
【先行技術文献】
【特許文献】
【０００５】
【特許文献１】特開２００２−１７３０２９号公報
【発明の概要】
【発明が解決しようとする課題】
【０００６】
しかし、従来の誘導用表示器によると、発光面を発光させるための電源を確保する必要があり、設置のためにプラットホームを少なからず掘り起こす工事が必要となるため、容易に設置することができないものであった。また、発光面の発光によって乗客を誘導するものであるため、屋外のプラットホームでは、昼間は十分に視認性を確保することが難しいという問題があった。
【０００７】
そこで、本発明は上記問題に鑑みてなされたものであり、プラットホームに対して工事が最小限で済むと共に、電源の確保も不要で昼間でも十分な視認性を確保することができるプラットホーム端部の注意喚起方法を提供することを目的とする。
【課題を解決するための手段】
【０００８】
本発明に係るプラットホーム端部の注意喚起方法は、プラットホームの端部における少なくとも停車した鉄道車両の乗降口に対応する位置に人が本質的に注意を向けるような注意喚起図柄を表示したことを特徴とする。
【０００９】
また、本発明に係るプラットホーム端部の注意喚起方法において、前記注意喚起図柄は、バラスト模様または、線路周辺を模した模様であると好適である。
【００１０】
また、本発明に係るプラットホーム端部の注意喚起方法において、前記注意喚起図柄は、特定の方向から見ると突起、危険物であり、その他の方向から見ると別の意味を持つ模様であると好適である。
【００１１】
また、本発明に係るプラットホーム端部の注意喚起方法において、前記注意喚起図柄は、汚れ又は湿潤を連想させる模様であると好適である。
【００１２】
また、本発明に係るプラットホーム端部の注意喚起方法において、前記注意喚起図柄は、動物の足跡又は小動物を模した模様であると好適である。
【発明の効果】
【００１３】
本発明に係るプラットホームの注意喚起方法は、プラットホーム端部の少なくとも停車した鉄道車両の乗降口に対応する位置に、バラスト模様、線路周辺を模した模様等の注意喚起図柄を表示しているので、プラットホーム端部に乗客の注意を引く模様を施すことで着目させてプラットホームから落下することを防止することができる。また、注意喚起図柄を施すだけでプラットホームを掘り起こすなどの工事をすることがないので、容易にプラットホーム端部の注意喚起を行うことができる。また、昼間であっても十分な視認性を確保することができる。
【図面の簡単な説明】
【００１４】
【図１】本発明の実施形態に係るプラットホーム端部の注意喚起方法を施したプラットホームの図。
【図２】本発明の第１の実施形態に係るプラットホーム端部の注意喚起方法を説明するための図。
【図３】本発明の第２の実施形態に係るプラットホーム端部の注意喚起方法を説明するための図であって、降車方向から見た状態を示す図。
【図４】本発明の第２の実施形態に係るプラットホーム端部の注意喚起方法を説明するための図であって、乗車方向から見た状態を示す図。
【図５】本発明の第３の実施形態に係るプラットホーム端部の注意喚起方法を説明するための図。
【図６】本発明の第３の実施形態に係るプラットホーム端部の注意喚起方法の変形例を説明するための図。
【図７】本発明の第４の実施形態に係るプラットホーム端部の注意喚起方法を説明するための図。
【図８】本発明の第４の実施形態に係るプラットホーム端部の注意喚起方法の変形例を説明するための図。
【発明を実施するための形態】
【００１５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１６】
［第１の実施形態］
図１は、本発明の実施形態に係るプラットホーム端部の注意喚起方法を施したプラットホームの図であり、図２は、本発明の第１の実施形態に係るプラットホーム端部の注意喚起方法を説明するための図である。
【００１７】
図１に示すように、本実施形態に係るプラットホーム端部の注意喚起方法は、プラットホーム１０の端部１１に注意喚起図柄３０が施されている。なお、プラットホーム１０の端部１１とは、プラットホーム１０の線路２０側の端部と定義する。
【００１８】
図２に示すように、本実施形態に係る注意喚起図柄３０は、バラスト模様３１が表示されている。なお、注意喚起図柄３０は、少なくとも停車した鉄道車両の乗降口に対応する位置に表示されると好適である。また、注意喚起図柄３０は、プラットホーム端部１１から略５から１０ｃｍ程度の幅で表示されると好適である。
【００１９】
このように、プラットホーム端部１１にバラスト模様３１を表示することで、プラットホーム１０と鉄道車両の乗降口の間の隙間を跨いで鉄道車両に乗車、又は降車しようとする乗客が、バラスト模様３１によってプラットホーム端部１１と鉄道車両の間隔が大きいと錯覚させることで、乗客が本質的にプラットホーム端部１１に注意を向けて注意喚起図柄３０を踏まないように歩幅を拡大して乗降するように促し、プラットホーム端部１１と鉄道車両の間の隙間に乗客が転落することを防止する。
【００２０】
また、注意喚起図柄３０は、バラスト模様３１に限らず、例えば線路周辺を模した模様を表示しても同様の効果を奏することができる。
【００２１】
［第２の実施形態］
以上説明した第１の実施形態に係るプラットホーム端部の注意喚起方法では、注意喚起図柄として、バラスト模様又は線路周辺を模した模様を表示した場合について説明を行った。次に説明する第２の実施形態のプラットホーム端部の注意喚起方法は、第１の実施形態とは異なる形態を有する注意喚起図柄の実施例について説明を行うものである。なお、上述した第１の実施形態の場合と同一又は類似する部材については、同一符号を付して説明を省略する。
【００２２】
図３は、本発明の第２の実施形態に係るプラットホーム端部の注意喚起方法を説明するための図であって、降車方向から見た状態を示す図であり、図４は、本発明の第２の実施形態に係るプラットホーム端部の注意喚起方法を説明するための図であって、乗車方向から見た状態を示す図である。
【００２３】
図３に示すように、本実施形態に係る注意喚起図柄３０ａは、降車方向から見た状態と乗車方向から見た状態が異なる意味を持つ模様が表示されている。具体的には、プラットホーム端部１１に注意喚起模様３２が表示されており、注意喚起模様３２は、降車方向から見た状態で、手前側に下方が鈍角に凸となる三角形状の底部３４及び奥側に上方が鋭角に凸となる三角形状の突起部３３が表示されている。本実施形態に係る注意喚起図柄３０ａは、プラットホーム端部１１から略１０から２０ｃｍ程度の幅で表示されると好適である。
【００２４】
このように降車方向から注意喚起模様３２を見ると、奥側に位置する突起部３３が危険物のように見えることから、鉄道車両から降車しようとする乗客にプラットホーム端部１１に危険物があるように錯覚させて、乗客が本質的にプラットホーム端部１１に注意を向けて注意喚起図柄３０ａを踏まないように歩幅を拡大して降車するように促し、プラットホーム端部１１と鉄道車両の間の隙間に乗客が転落することを防止する。
【００２５】
また、本実施形態に係る注意喚起図柄３０ａは、図４に示すように、乗車方向から見ると、底部３４が上方に鈍角に凸となる三角形状をしていることから、矢印のように見え、プラットホーム１０から鉄道車両に乗車しようとする乗客を誘導する表示となる。
【００２６】
［第３の実施形態］
以上説明した第２の実施形態に係るプラットホーム端部の注意喚起方法では、注意喚起図柄として、異なる方向から見ると異なる意味を持つ注意喚起模様を表示した場合について説明を行った。次に説明する第３の実施形態のプラットホーム端部の注意喚起方法は、第１及び第２の実施形態とは異なる形態を有する注意喚起図柄の実施例について説明を行うものである。なお、上述した第１及び第２の実施形態の場合と同一又は類似する部材については、同一符号を付して説明を省略する。
【００２７】
図５は、本発明の第３の実施形態に係るプラットホーム端部の注意喚起方法を説明するための図であり、図６は、本発明の第３の実施形態に係るプラットホーム端部の注意喚起方法の変形例を説明するための図である。
【００２８】
図５に示すように、本実施形態に係る注意喚起図柄３０ｂは、プラットホーム端部１１に汚れを連想させる汚れ模様３５が表示されている。このように、プラットホーム端部１１に汚れを連想させる汚れ模様３５が表示されているので、プラットホーム１０と鉄道車両の乗降口の間の隙間を跨いで鉄道車両に乗車、又は降車しようとする乗客に、プラットホーム端部１１が汚れていると錯覚させることで、乗客が本質的にプラットホーム端部１１に注意を向けて注意喚起図柄３０ｂを踏まないように歩幅を拡大して乗降するように促し、プラットホーム端部１１と鉄道車両の間の隙間に乗客が転落することを防止する。
【００２９】
なお、図６に示すように、本実施形態に係る変形例の注意喚起図柄３０ｂ´は、プラットホーム端部１１に湿潤を連想させる模様３６を表示しても構わない。さらに、汚れ又は湿潤を連想させる模様３６の大きさ及び配置は、適宜変更することができ、大きさ及び位置がランダムに表示されると、自然な表示となることからより効果的に乗客に注意喚起図柄を踏まないように歩幅を拡大して乗降することを促すことができる。なお、本実施形態に係る注意喚起図柄３０ｂ，３０ｂ´は、プラットホーム端部１１から略１０から２０ｃｍ程度の幅で表示されると好適である。
【００３０】
［第４の実施形態］
以上説明した第３の実施形態に係るプラットホーム端部の注意喚起方法では、注意喚起図柄として、汚れ又は湿潤を連想させる模様を表示した場合について説明を行った。次に説明する第４の実施形態のプラットホーム端部の注意喚起方法は、第３の実施形態とは異なる形態を有する注意喚起図柄の実施例について説明を行うものである。なお、上述した第１から３の実施形態の場合と同一又は類似する部材については、同一符号を付して説明を省略する。
【００３１】
図７は、本発明の第４の実施形態に係るプラットホーム端部の注意喚起方法を説明するための図であり、図８は、本発明の第４の実施形態に係るプラットホーム端部の注意喚起方法の変形例を説明するための図である。
【００３２】
図７に示すように、本実施形態に係る注意喚起図柄３０ｃは、動物の足跡を模した足跡模様３７が表示されている。また、図８に示すように、注意喚起図柄３０ｄとして蟻や昆虫などの小動物を模した小動物模様３８を表示しても構わない。なお、本実施形態に係る注意喚起図柄３０ｄは、プラットホーム端部１１から任意の幅で表示することができる。また、足跡模様３７や小動物模様３８は鉄道車両の乗降口からプラットホーム内方に向かう方向に沿って配列されると好適である。
【００３３】
このように、注意喚起図柄３０ｃ，３０ｄのように、子供の興味を引く動物の足跡や小動物を模した模様を表示することで、プラットホーム１０と鉄道車両の乗降口の間の隙間を跨いで鉄道車両に乗車、又は降車しようとする乗客に、プラットホーム端部１１に本質的に意識を向けると共に、プラットホーム内方へ向けて進行することを促すことで、プラットホーム端部１１と鉄道車両の間の隙間に乗客が転落することを防止する。
【００３４】
上述した第１から第４の実施形態に係るプラットホームの注意喚起方法は、プラットホーム端部の少なくとも停車した鉄道車両の乗降口に対応する位置に、バラスト模様、線路周辺を模した模様等の注意喚起図柄を表示しているので、プラットホーム端部に乗客の注意を引く模様を施すことで着目させて歩幅を拡大させ、プラットホームから落下することを防止することができる。また、注意喚起図柄を施すだけでプラットホームを掘り起こすなどの工事をすることがないので、容易にプラットホーム端部の注意喚起を行うことができる。また、昼間であっても十分な視認性を確保することができる。
【００３５】
なお、上述した実施形態に係るプラットホーム端部の注意喚起方法は、プラットホーム端部１１に着目させることができれば上述した模様に限定されず、種々の模様を施すことができる。その様な変更又は改良を加えた形態も本発明の技術的範囲に含まれうることが、特許請求の範囲の記載から明らかである。
【符号の説明】
【００３６】
１０          プラットホーム，
１１          プラットホーム端部，
２０          線路，
３０，３０ａ，３０ｂ，３０ｂ´，３０ｃ，３０ｄ  注意喚起図柄，
３１          バラスト模様，
３２          注意喚起模様，
３３          突起部，
３４          底部，
３５          汚れ模様，
３６          湿潤模様，
３７          足跡模様，
３８          小動物模様。
【図１】
2017144866.tif 000003
【図２】
2017144866.tif 000004
【図３】
2017144866.tif 000005
【図４】
2017144866.tif 000006
【図５】
2017144866.tif 000007
【図６】
2017144866.tif 000008
【図７】
2017144866.tif 000009
【図８】
2017144866.tif 000010